(57)【特許請求の範囲】
【請求項１】
外部から受け入れた紙幣の有効性を確認する紙幣識別手段と、この紙幣識別手段で有効と判定された紙幣が搬送される紙幣搬送路と、この紙幣搬送路を通って搬送された紙幣を収納する紙幣収納手段と、この紙幣収納手段を着脱自在に収納する筐体と、搬送された紙幣を前記紙幣収納手段に押し込む紙幣押込手段と、この紙幣押込手段を駆動する駆動部とを備えて構成され、機器に内蔵される紙幣取扱装置において、
前記筐体は、この筐体に開動自在に取り付けられ装置が機器に内蔵されたときに機器表面に露出する錠付き扉と、この扉により開閉される開口部とを備え、
前記扉は、前記筐体の開口部の下端部または上端部に設けられた支軸を中心に回動自在に前記筐体に取り付けられており、
前記紙幣収納手段は、前記駆動部とは別体に形成され、前記駆動部が前記開口部から離れた奥側、前記紙幣収納手段が前記開口部側に前記筐体内に並んで配置されて前記駆動部と共に前記筐体内に収納され、前記開口部を介して前記駆動部と分離して自在に前記筐体に着脱され、
前記紙幣識別手段は、前記扉が閉められたときに前記紙幣収納手段の側方に並ぶ前記扉の内側に一体に取り付けられている
ことを特徴とする紙幣取扱装置。
【請求項２】
前記駆動部は原動機の出力が伝えられる軸に設けられた第１のギヤを前記紙幣収納手段に対向する側面に有し、前記紙幣収納手段は、前記駆動部に対向する側面に設けられた前記第１のギヤに噛み合う第２のギヤと、この第２のギヤに伝わる駆動力を伝達する軸とを有し、前記紙幣押込手段は、前記紙幣収納手段の天側壁面に取り付けられ、前記第２のギヤを介して前記軸に伝達された駆動力によって紙幣を地側に押し込むことを特徴とする請求項１記載の紙幣取扱装置。
【請求項３】
前記紙幣押込手段は、前記第２のギヤを介して前記軸に伝達された駆動力によって回転する円盤と、この円盤に設けられた偏心ピンが嵌入されるスライド溝が形成されたスライド板と、このスライド板の動きを天地方向に案内する前記天側壁面に取り付けられた支持枠と、前記円盤が回転して前記偏心ピンが前記スライド溝内をスライドすることによって天地方向に移動して前記天側壁面と平行な面で紙幣を押し込む前記スライド板に固定されたプッシャとから構成されることを特徴とする請求項２記載の紙幣取扱装置。
【請求項４】
前記紙幣搬送路は、前記紙幣収納手段の内側両側壁に前記プッシャの幅よりも広い間隔で取り付けられた一対の板材からなり、この板材の長手方向においてＵ字状に曲げ加工された曲げ部で紙幣の両側部に線接触して紙幣を支持するレールと、前記プッシャとの間に形成される空間によって構成されていることを特徴とする請求項３記載の紙幣取扱装置。
【請求項５】
前記機器は遊戯機であることを特徴とする請求項１から請求項４のいずれか１項に記載した紙幣取扱装置。
【発明の詳細な説明】
【０００１】
【産業上の利用分野】
本発明は、投入された紙幣の真偽および良否を判定して投入紙幣を一時的に収納保管する紙幣取扱装置に関するものである。
【０００２】
【従来の技術】
従来、この種の紙幣取扱装置は様々な分野に使用されている。例えば、遊戯機に内蔵される紙幣取扱装置があり、この場合には紙幣取扱装置は紙幣投入に応じて遊戯機内の遊戯可能な度数を示すクレジット数を増加させたり、コイン等の代用貨幣を払い出させる。また、両替機に内蔵される紙幣取扱装置もあり、この場合には紙幣取扱装置は投入紙幣を異種の貨幣に両替する。また、自動販売機に内蔵される紙幣取扱装置もあり、この場合には紙幣取扱装置は紙幣投入に応じて商品を排出させる。
【０００３】
図１３は上記の遊戯機の一例を示すスロットマシンであり、内部構造を示している。このスロットマシンでは、紙幣取扱装置１は機器内部に設けられたビルスタンド２に取り付けられている。メインドア３が閉められることにより、紙幣取扱装置１は紙幣投入口４を残して機器内部に隠され、保管される。図１４はこの従来の紙幣取扱装置１の構成を示す斜視図である。紙幣投入口４は同図（ａ）に示す紙幣識別部５の前面に構成されており、紙幣投入口４に投入された紙幣はこの紙幣識別部５においてその真偽および良否が判定される。この判定で有効とされた紙幣は、同図（ｂ）に示すビルカセット（スタッカ）６に収納される。このスタッカ６は、天部のシャッタ７が開かれた状態でケース本体８に収納されており、投入紙幣を一時的に収納保管している。この投入紙幣は適時回収され、警備の整った場所で収集される。この際、スタッカ６はシャッタ７が閉じられた図示の状態で運搬される。
【０００４】
スタッカ６を機器内部から取り出す回収操作は、従来次のように行われている。まず、メインドア３の下部に設けられたボトムドア９の鍵９ｋが解錠され、メインドア３が閉じられた状態のまま、一点鎖線で示すようにボトムドア９が開かれる。ボトムドア９が開くとスロットマシン下部が現れ、スタッカ６の前部に設けられたレバー１０，ハンドル１１およびビルスタンド２の鍵穴２ａが機器外部に露出する。次に、ビルスタンド２の鍵穴２ａに鍵が挿入され、解錠される。続いてレバー１０が押し下げられたままの状態でハンドル１１が回され、スタッカ６が手前に引き出されて機器内部から取り出され、回収される。
【０００５】
【発明が解決しようとする課題】
しかしながら、上記従来の紙幣取扱装置１にあっては、スタッカ６を機器内部から取り出すには労力を要し、簡単に紙幣を回収することが出来なかった。つまり、スタッカ６を取り出すには、ボトムドア９を解錠する作業、ボトムドア９を開く作業、ビルスタンド２の鍵を解錠する作業、レバー１０およびハンドル１１を操作する作業という多数の作業が必要とされる。
【０００６】
また、上記従来の紙幣取扱装置１においては、紙幣識別部５で有効と判定された紙幣をスタッカ６の内部に押し込む紙幣押込装置は、シャッタ７の上部のケース本体８の内部に構成されており、図示しない取付板等にネジ等で固定されている。また、紙幣識別部５もスタッカ６の上部のケース本体８に取り付けられている。従って、紙幣取扱装置１の全体の高さは高くなり、スロットマシンといった機器の内部において紙幣取扱装置１が閉める容積は大きくなる。
【０００７】
また、この紙幣押込装置を駆動するモータ等からなる駆動装置は、スタッカ６の内部に構成されている。従って、駆動装置を含むスタッカ６は重量があり、重いため、回収した多数のスタッカ６を運搬する作業にも労力を要した。
【０００８】
また、上記従来の紙幣取扱装置１においては、投入紙幣が濡れていたり汚れたりしていると、紙幣搬送路と投入紙幣との間の接触抵抗が高まり、円滑に紙幣が搬送されないことがあった。
【０００９】
【課題を解決するための手段】
本発明はこのような課題を解決するためになされたもので、外部から受け入れた紙幣の有効性を確認する紙幣識別手段と、この紙幣識別手段で有効と判定された紙幣が搬送される紙幣搬送路と、この紙幣搬送路を通って搬送された紙幣を収納する紙幣収納手段と、この紙幣収納手段を着脱自在に収納する筐体と、搬送された紙幣を紙幣収納手段に押し込む紙幣押込手段と、この紙幣押込手段を駆動する駆動部とを備えて構成され、機器に内蔵される紙幣取扱装置において、上記筐体は、この筐体に開動自在に取り付けられ、装置が機器に内蔵されたときに機器表面に露出する錠付き扉と、この扉により開閉される開口部とを備え、上記扉は、上記筐体の開口部の下端部または上端部に設けられた支軸を中心に回動自在に上記筐体に取り付けられており、上記紙幣収納手段は、駆動部とは別体に形成され、駆動部が開口部から離れた奥側、上記紙幣収納手段が開口部側に上記筐体内に並んで配置されて駆動部と共に上記筐体内に収納され、開口部を介して駆動部と分離して自在に上記筐体に着脱され、上記紙幣識別手段は、上記扉が閉められたときに上記紙幣収納手段の側方に並ぶ上記扉の内側に一体に取り付けられていることを特徴とするものである。
【００１０】
また、上記駆動部は原動機の出力が伝えられる軸に設けられた第１のギヤを紙幣収納手段に対向する側面に有し、上記紙幣収納手段は、駆動部に対向する側面に設けられた第１のギヤに噛み合う第２のギヤと、この第２のギヤに伝わる駆動力を伝達する軸とを有し、上記紙幣押込手段は、上記紙幣収納手段の天側壁面に取り付けられ、第２のギヤを介して軸に伝達された駆動力によって紙幣を地側に押し込むことを特徴とするものである。
【００１１】
また、上記紙幣押込手段は、第２のギヤを介して軸に伝達された駆動力によって回転する円盤と、この円盤に設けられた偏心ピンが嵌入されるスライド溝が形成されたスライド板と、このスライド板の動きを天地方向に案内する天側壁面に取り付けられた支持枠と、上記円盤が回転して偏心ピンがスライド溝内をスライドすることによって天地方向に移動して天側壁面と平行な面で紙幣を押し込む上記スライド板に固定されたプッシャとから構成されることを特徴とするものである。
【００１２】
また、上記紙幣搬送路は、上記紙幣収納手段の内側両側壁に上記プッシャの幅よりも広い間隔で取り付けられた一対の板材からなり、この板材の長手方向においてＵ字状に曲げ加工された曲げ部で紙幣の両側部に線接触して紙幣を支持するレールと、上記プッシャとの間に形成される空間によって構成されていることを特徴とするものである。
【００１３】
【作用】
扉を解錠して開くことにより、紙幣収納手段は直ちに筐体の開口部に現れ、機器内部から直ちに取り出される。
【００１４】
また、紙幣識別部が扉内部に設けられることにより、紙幣識別部は紙幣収納部に並んで筐体内に配される。また、紙幣押込手段が紙幣収納手段の壁面に取り付けられることにより、紙幣押込手段が取り付けられていた取付板等は不要になる。従って、紙幣取扱装置の高さが低くなると共に、装置の部材が少なくなる。
【００１５】
また、紙幣収納手段と駆動部とが別体に形成されることにより、紙幣収納手段の重量は軽くなり、紙幣収納手段は小型化される。
【００１６】
また、紙幣搬送路は紙幣と線接触して紙幣を支持するため、投入紙幣と紙幣搬送路との間の接触抵抗は低減する。
【００１７】
【実施例】
次に、本発明による紙幣取扱装置をスロットマシンに適用した一実施例について説明する。
【００１８】
図１は、スロットマシンに内蔵された本実施例による紙幣取扱装置２１の概略構造を概念的に示している。
【００１９】
紙幣取扱装置２１は、扉２２がスロットマシンのフロントドア２３の表面に露出して内蔵されている。この扉２２の内側には投入紙幣２４の有効性を確認する紙幣識別部（ビルバリデータ）２５が取り付けられている。ビルバリデータ２５で有効と判定された紙幣２４は、後述する紙幣搬送路を経由して紙幣収納部（スタッカ）２６に収納される。このスタッカ２６はケース本体２７に収納されている。ケース本体２７のフロントドア２３側の前面は開口しており、スタッカ２６はこの開口部２７ａを介してケース本体２７に着脱される。また、ケース本体２７の開口部２７ａの下端には支軸２８が設けられている。開口部２７ａを塞いでいる扉２２は、この支軸２８を中心に回動自在にケース本体２７に取り付けられており、矢示Ｂの方向に開く。また、スタッカ２６の背後のケース本体２７内部には紙幣押込手段を駆動する駆動部２９が配置されている。スタッカ２６と駆動部２９とは別体に形成され、スタッカ２６はこの駆動部２９と分離してケース本体２７に着脱される。
【００２０】
図２はスタッカ２６の内部の概略構造を示している。
【００２１】
スタッカ２６の天側内壁面には紙幣押込部３１が取り付けられている。この紙幣押込部３１には軸３２を介して駆動部２９から原動力が伝達される。紙幣押込部３１はこの原動力を受けて押込板（プッシャ）３３を下方に押圧し、投入紙幣２４を紙幣支持板（サポートプレート）３４上に積み重ねる。サポートプレート３４は圧縮コイルバネ３５によって上方に付勢されており、投入紙幣２４は後述するレール６１の下端部６１ｂ（図９，図１０参照）とサポートプレート３４との間に挟持される。
【００２２】
図３は、本実施例による紙幣取扱装置２１の具体的な外観を示す斜視図である。扉２２の前面上部には紙幣投入口４１が設けられており、投入紙幣２４が挿入される。この紙幣投入口４１に投入された紙幣２４はビルバリデータ２５に取り込まれる。また、扉２２には鍵穴４２が付いており、この鍵穴４２に鍵を挿入して回す操作をすることにより、扉２２の内部に設けられた施錠棒４３は矢示の方向に回動する。施錠時には、この施錠棒４３の両端部はケース本体２７の両側部に設けられた各切欠部４４に嵌合しており、扉２２はケース本体２７の前面開口部２７ａを塞いでいる。解錠時には、施錠棒４３が矢示の方向に回動して扉２２とケース本体２７との間の嵌合が解かれ、扉２２は支軸２８を中心に回動して開く。扉２２が開くことにより、ケース本体２７の前面開口部２７ａが露出し、スタッカ２６の前面が現れる。
【００２３】
また、ケース本体２７の上部には、天板が切り込まれてスプリング板４５が形成されている。このスプリング板４５は図の上下方向に弾性を有し、スタッカ２６をケース本体２７に収納する際、スタッカ２６の天部に接触してスタッカ２６を収納位置に案内する。これと共にスプリング板４５は、スタッカ２６をケース本体２７に収納する際、スタッカ２６の上下方向の高さ寸法のバラツキ誤差を吸収する。
【００２４】
図４は、図３に示す紙幣取扱装置２１におけるスタッカ２６および駆動部２９の配置構造を示している。
【００２５】
スタッカ２６の背後のケース本体２７には仕切板４６が設けられており、ケース本体２７の内部はスタッカ収納部と駆動部収納部とに２分されている。仕切板４６の背面には、駆動部２９を構成するモータ４７および減速機４８が取り付けられている。また、スタッカ２６の扉２２側の前面には紙幣挿入口４９が開口している。この紙幣挿入口４９にはビルバリデータ２５から排出される紙幣が挿入される。また、紙幣挿入口４９の下部には横長く窪んだ凹部５０が設けられている。
【００２６】
一方、図５に示すように、ビルバリデータ２５の背面には、この凹部５０に嵌合する横長く突出した凸部５１が設けられている。この凸部５１が凹部５０に嵌め合わされてビルバリデータ２５がスタッカ２６に装着されることにより、スタッカ２６の紙幣挿入口４９とビルバリデータ２５の紙幣排出口との間における、上下左右方向の相互位置は安定して位置決めされる。従って、ビルバリデータ２５から排出される紙幣は、凹部５０と凸部５１にサポートされて障害なく円滑に紙幣挿入口４９に挿入される。このため、投入紙幣の誘導にトラブルを生じることはない。
【００２７】
また、スタッカ２６の背面には図６に示す扉６０が設けられており、図示しない鍵によってこの扉６０はスタッカ２６の背面に施錠される。この施錠により、スタッカ２６がケース本体２７から取り出されても、スタッカ２６の内部に収納された紙幣は取り出すことは出来ない。また、プッシャ３３およびサポートプレート３４の各端部には、それぞれ切欠部３３ａおよび３４ａが設けられている。これら切欠部３３ａ，３４ａが設けられていると、投入紙幣の端部が一部露出して紙幣が掴み易く、紙幣の回収作業において紙幣が取り出し易い。
【００２８】
図７はスタッカ２６の内部構成を示す斜視図である。
【００２９】
スタッカ２６の天側壁面には前述したように紙幣押込部３１が取り付けられている。この紙幣押込部３１は、軸３２の一端に連結した円盤５２と、この円盤５２の周縁部に取りつけられた偏心ピン５３と、Ｌ字状に曲げられたスライド板５４および略コの字状をした支持枠５５とで構成されている。支持枠５５の底部はスタッカ２６の天板に固着しており、略コの字部の内壁には対向する一対の溝５５ａが形成されている。スライド板５４の根元部はプッシャ３３に固着しており、Ｌ字状に起きているスライド板５４の両側部は、支持枠５５の各溝５５ａに垂直方向に摺動自在に嵌入している。また、スライド板５４には横長のスライド溝５４ａが形成されており、このスライド溝５４ａには円柱状の偏心ピン５３が挿入されている。軸３２に原動力が伝えられて円盤５２が回転すると、偏心ピン５３はスライド溝５４ａ内を左右方向にスライドしながら上下動する。この上下動に伴ってスライド板５４およびこれに固着したプッシャ３３は上下動する。
【００３０】
軸３２の他端には雄型のスプライン歯が形成されたスプライン軸５６が固着している。このスプライン軸５６は、図８に示す駆動部２９内のスプライン軸受部５８に対向している。スプライン軸受部５８には雌型のスプライン歯が形成されており、このスプライン軸受部５８は出力軸５７の端部に固着している。スタッカ２６がケース本体２７に収納されると、スタッカ２６のスプライン軸５６は駆動部２９内のスプライン軸受部５８に噛み合う。モータ４７の回転は減速機４８によって所定比に減速され、出力軸５７にはモータ４７の出力する原動力が伝達される。この原動力はスプライン軸受部５８，スプライン軸５６を介してスタッカ２６側へ伝えられ、軸３２を介して円盤５２まで伝達される。
【００３１】
また、図７に示すように、プッシャ３３の底部とレール６１との間に形成される空間は紙幣搬送路６２を構成している。この紙幣搬送路６２の搬入口は、スタッカ２６の前面に開口した紙幣挿入口４９に対向して開口している。レール６１は、スタッカ２６の内側両側壁に取り付けられた一対の板材からなる。この板材の長手方向において、図９に拡大して示す、Ｕ字状に曲げ加工された曲げ部６１ａは、レール６１の紙幣接触部を形成している。投入紙幣２４の両側部はこの曲げ部６１ａに線接触して支持されている。また、プッシャ３３のビルバリデータ２５側の端部は曲げられており、ビルバリデータ２５から排出される投入紙幣２４の端部はこの曲げ部３３ａによって紙幣搬送路６２へ案内される。
【００３２】
スタッカ２６に紙幣が収納される前においては、サポートプレート３４は、圧縮コイルバネ３５によって下方から押され、両側部がレール６１の曲げ部６１ａの下端部６１ｂに押し付けられている。この状態でプッシャ３３が紙幣押込部３１に駆動されて押し下げられると、プッシャ３３は各レール６１間に形成された空間を通過し、サポートプレート６１の上面の投入紙幣２４に当接する。ここで、プッシャ３３はその幅が各レール６１間の間隔よりも狭く形成されている。プッシャ３３が各レール６１間を通過する際、投入紙幣２４はその中央部にプッシャ３３によって下方へ向かう力がかかり、その両側部にレール６１によって上方へ向かう力がかかる。従って、投入紙幣２４はプッシャ３３からの押圧力によってその両側部が長手方向に沿って屈曲する。プッシャ３３がさらに駆動されて各レール６１間を通過すると、投入紙幣２４の両側部は弾性力で元通りに戻り、サポートプレート３４の上面に平たくなって保持される。
【００３３】
プッシャ３３は、円盤５２の回転によってスライド板５４が上方に引き上げられると、これに伴って上方に移動する。このため、サポートプレート３４は圧縮コイルバネ３５によって上方に移動し、投入紙幣２４はサポートプレート３４と各レール６１の下端部６１ｂとの間に挟持される。図１０はこのような紙幣収納動作が何回か繰り返された結果、プッシャ３３とサポートプレート３４との間に投入紙幣２４が積み重ねられた状態を示している。この状態からプッシャ３３が上方に移動すると、積み重ねられた投入紙幣２４はサポートプレート３４と各レール６１との間に挟持される。なお、同図において図９と同一部分には同一符号を付してその説明は省略する。
【００３４】
次に、このような構成の本実施例による紙幣取扱装置２１におけるスタッカ回収作業について、図１１および図１２を参照しつつ以下に説明する。なお、これら各図において図３と同一部分には同一符号を付してその説明は省略する。
【００３５】
図１１（ａ）はセッテイング状態時の紙幣取扱装置２１の側面図であり、ゲームを行う場合には紙幣投入口４１に矢示Ａの方向から紙幣が投入される。スタッカ回収時には、前述したように、鍵が扉２２の前面に設けられた鍵穴４２に挿入され、解錠操作がされて施錠棒４３がケース本体２７の切欠部４４から外される。この状態で扉２２の上部が手前に引っ張られることにより、扉２２は支軸２８を中心に矢示Ｂ方向に回動し、同図（ｂ）に示すように開く。扉２２が開くと開口部２７ａにスタッカ２６の前部が現れる。次に、露出したこのスタッカ２６の前部が図１２（ｃ）に示すように手前側（矢示Ｃ方向）に引かれ、スタッカ２６がケース本体２７から取り出される。取り出されたスタッカ２６は警備された安全な部屋に輸送され、スタッカ２６の背面に設けられた鍵が解錠され、内部に収納された紙幣が回収される。回収作業の終了したスタッカ２６は背面の鍵が施錠された後、同図（ｄ）に示すようにケース本体２７に挿入され、元通りにケース本体２７内に収納される。
【００３６】
このように本実施例による紙幣取扱装置２１によれば、扉２２の鍵を解錠して扉２２を開くことにより、スタッカ２６は直ちにケース本体２７の開口部２７ａに現れ、スタッカ２６はスロットマシン内部から直ちに取り出される。このため、従来のスタッカ回収作業においては、ボトムドア９を解錠する作業、ボトムドア９を開く作業、ビルスタンド２の鍵を解錠する作業、レバー１０およびハンドル１１を操作する作業という多数の作業が必要とされたが、本実施例によるスタッカ回収作業においては、扉２２の鍵を解錠する作業および小さな扉２２を開く作業のみでスタッカ２６が回収される。すなわち、扉２２にビルバリデータ２５を取り付け、この扉２２自体を機器表面に露出させることにより、スタッカ２６がスロットマシン内部から簡単に取り出せる構造の紙幣取扱装置２１が実現される。このため、本構造の紙幣取扱装置２１によれば、紙幣回収作業の労力は軽減される。また、このような構造を採用することにより、紙幣取扱装置２１を簡易にスロットマシンに取り付けることも可能になり、紙幣取扱装置２１のユニット設置性も向上する。
【００３７】
なお、上記実施例の説明においては、ケース本体２７の開口部２７ａの下端に支軸２８を設け、扉２２はこの支軸２８を中心に回動して下側に開く構造とした。しかし、支軸２８をケース本体２７の開口部２７ａの上端に設け、扉２２はケース本体２７の上端部を中心に回動して上側に開く構造としても良い。また、扉２２に鍵穴４２を設け、扉２２を手作業で解錠および施錠する構成としたが、動力により自動的に解施錠される機構を付加してカードを紙幣投入口４１に投入し、このカード投入信号をビルバリデータ２５から解施錠機構に出力して自動的に解錠および施錠をする構成としても良い。このような構造においても本実施例と同様な効果が奏される。
【００３８】
また、ビルバリデータ２５が扉２２の内部に設けられることにより、ビルバリデータ２５はスタッカ２６に並んでケース本体２７内に配置される。また、紙幣押込部３１がスタッカ２６の壁面に取り付けられることにより、紙幣押込部３１が従来取り付けられていた取付板等は不要になる。従って、紙幣取扱装置２１の高さが低くなると共に、装置の部材が少なくなる。このため、本実施例による紙幣取扱装置２１によれば、装置のコンパクト化および低価格化に寄与することが出来る。
【００３９】
また、スタッカ２６と駆動部２９とが別体に形成されることにより、スタッカ２６にはモータ４７や減速機構といった重い構成部材が含まれなくなる。よって、スタッカ２６の重量は軽くなり、また、スタッカ２６の大きさは小型化される。従って、多数のスタッカ２６を回収して運搬する作業に従来要した労力は軽減される。
【００４０】
また、紙幣搬送路６２は投入紙幣２４と線接触して紙幣２４を支持するため、投入紙幣２４と紙幣搬送路６２との間の接触抵抗は低減する。このため、投入紙幣２４が濡れていたり汚れたりしていても、投入紙幣２４は少ない挿入抵抗で紙幣挿入口４９から紙幣搬送路６２を円滑に伝い、スタッカ２６の内部に収納される。
【００４１】
なお、上記実施例の説明においては本発明をスロットマシンに適用した場合について説明したが、本発明はこれに限定されるものではない。例えば、他の遊戯機や両替機、自動販売機等に適用することも可能であり、この場合においても上記実施例と同様な効果が奏される。
【００４２】
【発明の効果】
以上説明したように本発明によれば、扉を解錠して開くことにより、紙幣収納手段は直ちに筐体の開口部に現れ、機器内部から直ちに取り出される。このため、紙幣回収時に従来必要とされた機器の扉を開ける作業が省略され、紙幣回収作業は簡略化される。
【００４３】
また、紙幣識別部が紙幣収納部に並んで筐体内に配され、また、紙幣押込手段が紙幣収納手段の壁面に取り付けられることにより、紙幣取扱装置の高さが低くなると共に、装置の部材が少なくなる。このため、紙幣取扱装置の小型化および低価格化を図ることが出来る。
【００４４】
また、紙幣収納手段と駆動部とが別体に形成されることにより、紙幣収納手段は軽くかつ小型になり、紙幣収納手段の運搬作業は容易化される。
【００４５】
また、紙幣搬送路は紙幣と線接触して紙幣を支持するため、投入紙幣と紙幣搬送路との間の接触抵抗は低減し、投入紙幣の収納トラブルは減少する。
【図面の簡単な説明】
【図１】本発明の一実施例による紙幣取扱装置の構造を概念的に示す側面図である。
【図２】本実施例による紙幣取扱装置を構成するスタッカの内部構成を概念的に示す側面図である。
【図３】本実施例による紙幣取扱装置の具体的な外観を示す斜視図である。
【図４】本実施例による紙幣取扱装置を構成するスタッカおよび駆動部の具体的な配置構造を示す斜視図である。
【図５】本実施例におけるスタッカとビルバリデータとの間の接触構造を示す斜視図である。
【図６】本実施例におけるスタッカの背面部を示す斜視図である。
【図７】本実施例におけるスタッカの内部構成を具体的に示す斜視図である。
【図８】本実施例におけるスタッカと駆動部との間に形成される駆動力伝達機構を示す斜視図である。
【図９】本実施例におけるスタッカの前面壁を開口して見られる紙幣搬送路を示す斜視図である。
【図１０】本実施例におけるスタッカの内部に投入紙幣が積み重ねられた状態を示す斜視図である。
【図１１】本実施例による紙幣取扱装置における紙幣回収操作の第１の工程および第２の工程を示す側面図である。
【図１２】本実施例による紙幣取扱装置における紙幣回収操作の第３の工程および第４の工程を示す側面図である。
【図１３】従来の紙幣取扱装置を内蔵したスロットマシンを示す斜視図である。
【図１４】従来の紙幣取扱装置の斜視図である。
【符号の説明】
２１…紙幣取扱装置
２２…扉
２３…スロットマシンのフロントドア
２４…投入紙幣
２５…ビルバリデータ（紙幣識別部）
２６…スタッカ（紙幣収納部）
２７…ケース本体（筐体）
２８…支軸
２９…駆動部
３１…紙幣押込部
３２…軸
３３…プッシャ（紙幣押込板）
３４…サポートプレート（紙幣支持板）
３５…圧縮コイルバネ
【図１】
0003778598.tif 000002
【図２】
0003778598.tif 000003
【図３】
0003778598.tif 000004
【図４】
0003778598.tif 000005
【図５】
0003778598.tif 000006
【図６】
0003778598.tif 000007
【図７】
0003778598.tif 000008
【図８】
0003778598.tif 000009
【図９】
0003778598.tif 000010
【図１０】
0003778598.tif 000011
【図１１】
0003778598.tif 000012
【図１２】
0003778598.tif 000013
【図１３】
0003778598.tif 000014
【図１４】
0003778598.tif 000015